【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
クロック分配システムであって、
クロック信号を伝搬する少なくとも１つの共振器スパインと、
前記少なくとも１つの共振器スパインに導電結合され、定在波共振器として配置される少なくとも１つの共振器リブであって、前記少なくとも１つの共振器リブのうちの少なくとも１つが、前記少なくとも１つの共振器リブのうちの当該対応する１つの長さに沿って変化する厚さを有する、前記少なくとも１つの共振器リブと、
前記少なくとも１つのトランス結合ラインであって、前記少なくとも１つのトランス結合ラインの各々が、関連する回路に導電結合されるとともに前記少なくとも１つの共振器リブに誘導結合されて、前記クロック信号に対応するクロック電流を誘導的に生成して前記関連する回路の機能を提供する、前記少なくとも１つのトランス結合ラインと、
を備えるクロック分配システム。
【請求項２】
前記少なくとも１つの共振器リブの各々が、前記少なくとも１つの共振器リブの各々の複数の平行部分を提供する少なくとも１つの屈曲部を含み、前記複数の平行部分の各々が第１端と第２端とを含み、前記複数の平行部分の各々の第２端が、前記少なくとも１つの屈曲部のうちの対応する１つを介して、前記複数の平行部分のうちの隣接する１つの第１端に導電結合され、前記少なくとも１つの共振器リブの各々の前記複数の平行部分の少なくとも１つの厚さが、前記複数の平行部分のちの当該対応する１つの長さに沿って変化する、請求項１に記載のクロック分配システム。
【請求項３】
前記少なくとも１つの屈曲部が、前記複数の平行部分を３つ以上の平行部分として提供するように配置される複数の屈曲部である、請求項２に記載のクロック分配システム。
【請求項４】
前記少なくとも１つの共振器リブの各々の前記複数の平行部分の少なくとも１つの厚さが、前記第１端における第１の最小厚さおよび前記第２端における第２の最小厚さから、前記第１端と前記第２端との間の最大厚さまで増加する、請求項２に記載のクロック分配システム。
【請求項５】
前記最大厚さが、前記複数の平行部分のうちの対応する１つの前記第１端と前記第２端との間の長さの約半分の位置に存在する、請求項４に記載のクロック分配システム。
【請求項６】
前記少なくとも１つの共振器リブの各々の前記複数の平行部分の少なくとも１つの厚さが、前記第１の最小厚さおよび前記第２の最小厚さの各々から前記最大厚さまで段階的に増加する、請求項４に記載のクロック分配システム。
【請求項７】
前記少なくとも１つの共振器リブの各々の前記複数の平行部分の少なくとも１つの厚さが、前記最大厚さから前記第１の最小厚さおよび前記第２の最小厚さの各々までテーパ状である、請求項４に記載のクロック分配システム。
【請求項８】
前記第１の最小厚さと前記第２の最小厚さとがほぼ等しい、請求項４に記載のクロック分配システム。
【請求項９】
前記少なくとも１つの共振器リブの各々が、前記少なくとも１つの共振器スパインの近位の第１端と低電圧レールに結合された第２端との間の線状延出部として構成されている、請求項１に記載のクロック分配システム。
【請求項１０】
前記少なくとも１つの共振器リブの厚さが、前記第２端から前記第１端に向かってテーパ状である、請求項９に記載のクロック分配システム。
【請求項１１】
前記少なくとも１つの共振器リブの厚さが、前記第１端から前記第２端まで段階的に増加する、請求項９に記載のクロック分配システム。
【請求項１２】
クロック分配システムであって、
クロック信号を伝搬する少なくとも１つの共振器スパインと、
前記少なくとも１つの共振器スパインに導電結合され、定在波共振器として配置される少なくとも１つの共振器リブであって、前記少なくとも１つの共振器リブのうちの少なくとも１つが、前記少なくとも１つの共振器リブのうちの当該対応する１つの長さに沿ってテーパ状に変化する厚さを有する、前記少なくとも１つの共振器リブと、
前記少なくとも１つのトランス結合ラインであって、前記少なくとも１つのトランス結合ラインの各々が、関連する回路に導電結合されるとともに前記少なくとも１つの共振器リブに誘導結合されて、前記クロック信号に対応するクロック電流を誘導的に生成して前記関連する回路の機能を提供する、前記少なくとも１つのトランス結合ラインと、
を備えるクロック分配システム。
【請求項１３】
前記少なくとも１つの共振器リブの各々が、前記少なくとも１つの共振器リブの各々の複数の平行部分を提供する少なくとも１つの屈曲部を含み、前記複数の平行部分の各々が第１端と第２端とを含み、前記複数の平行部分の各々の第２端が、前記少なくとも１つの屈曲部のちの対応する１つを介して、前記複数の平行部分のうちの隣接する１つの第１端に導電結合され、前記少なくとも１つの共振器リブの各々の前記複数の平行部分の少なくとも１つの厚さが、前記複数の平行部分のうちの当該対応する１つの長さに沿ってテーパ状に変化する、請求項１２に記載のクロック分配システム。
【請求項１４】
前記少なくとも１つの共振器リブの各々の前記複数の平行部分の少なくとも１つの厚さが、前記第１端と前記第２端との間の最大厚さから、前記第１端における第１の最小厚さおよび前記第２端における第２の最小厚さの各々まで、テーパ状に減少し、
前記最大厚さが、前記複数の平行部分のうちの対応する１つの前記第１端と前記第２端との間の長さの約半分の位置に存在する、請求項１３に記載のクロック分配システム。
【請求項１５】
前記少なくとも１つの共振器リブの各々が、前記少なくとも１つの共振器スパインの近位の第１端と低電圧レールに結合された第２端との間の線状延出部として構成されており、前記少なくとも１つの共振器リブのうちの少なくとも１つが、前記第１端から前記第２端まで段階的に増加する厚さを有する、請求項１２に記載のクロック分配システム。
【手続補正２】
【補正対象書類名】明細書
【補正対象項目名】００４８
【補正方法】変更
【補正の内容】
【００４８】
以上の説明は本発明の例示である。本開示を説明する目的のために構成要素または方法のあらゆる考えられる組み合わせを記載することは勿論不可能であり、当業者は本開示のさらなる多くの組み合わせおよび置換が可能であることを認識し得る。したがって、本開示は、添付の特許請求の範囲を含む本出願の範囲内に含まれるすべてのそのような代替、変形、および変更を包含することが意図される。また、本開示または請求項が「１つの〜」、「第１の〜」、または「別の〜」という要素を列挙するかまたはそれらの同等物を列挙する場合には、１つまたは２つ以上のそのような要素を含むと解釈されるべきであり、２つ以上のそのような要素を必須とするものでも、２つ以上のそのような要素を除外するものでもない。本明細書で使用される「含む」という用語は、含むがそれに限定されないことを意味する。「に基づく」という用語は、少なくとも部分的に基づくことを意味する。
本開示に含まれる技術的思想を以下に記載する。
（付記１）
クロック分配システムであって、
クロック信号を伝搬する少なくとも１つの共振器スパインと、
前記少なくとも１つの共振器スパインに導電結合され、定在波共振器として配置される少なくとも１つの共振器リブであって、前記少なくとも１つの共振器リブのうちの少なくとも１つが、前記少なくとも１つの共振器リブのうちの当該対応する１つの長さに沿って変化する厚さを有する、前記少なくとも１つの共振器リブと、
前記少なくとも１つのトランス結合ラインであって、前記少なくとも１つのトランス結合ラインの各々が、関連する回路に導電結合されるとともに前記少なくとも１つの共振器リブに誘導結合されて、前記クロック信号に対応するクロック電流を誘導的に生成して前記関連する回路の機能を提供する、前記少なくとも１つのトランス結合ラインと、
を備えるクロック分配システム。
（付記２）
前記少なくとも１つの共振器リブの各々が、前記少なくとも１つの共振器リブの各々の複数の平行部分を提供する少なくとも１つの屈曲部を含み、前記複数の平行部分の各々が第１端と第２端とを含み、前記複数の平行部分の各々の第２端が、前記少なくとも１つの屈曲部のうちの対応する１つを介して、前記複数の平行部分のうちの隣接する１つの第１端に導電結合され、前記少なくとも１つの共振器リブの各々の前記複数の平行部分の少なくとも１つの厚さが、前記複数の平行部分のちの当該対応する１つの長さに沿って変化する、付記１に記載のクロック分配システム。
（付記３）
前記少なくとも１つの屈曲部が、前記複数の平行部分を３つ以上の平行部分として提供するように配置される複数の屈曲部である、付記２に記載のクロック分配システム。
（付記４）
前記少なくとも１つの共振器リブの各々の前記複数の平行部分の少なくとも１つの厚さが、前記第１端における第１の最小厚さおよび前記第２端における第２の最小厚さから、前記第１端と前記第２端との間の最大厚さまで増加する、付記２に記載のクロック分配システム。
（付記５）
前記最大厚さが、前記複数の平行部分のうちの対応する１つの前記第１端と前記第２端との間の長さの約半分の位置に存在する、付記４に記載のクロック分配システム。
（付記６）
前記少なくとも１つの共振器リブの各々の前記複数の平行部分の少なくとも１つの厚さが、前記第１の最小厚さおよび前記第２の最小厚さの各々から前記最大厚さまで段階的に増加する、付記４に記載のクロック分配システム。
（付記７）
前記少なくとも１つの共振器リブの各々の前記複数の平行部分の少なくとも１つの厚さが、前記最大厚さから前記第１の最小厚さおよび前記第２の最小厚さの各々までテーパ状である、付記４に記載のクロック分配システム。
（付記８）
前記第１の最小厚さと前記第２の最小厚さとがほぼ等しい、付記４に記載のクロック分配システム。
（付記９）
前記少なくとも１つの共振器リブの各々が、前記少なくとも１つの共振器スパインの近位の第１端と低電圧レールに結合された第２端との間の線状延出部として構成されている、付記１に記載のクロック分配システム。
（付記１０）
前記少なくとも１つの共振器リブの厚さが、前記第２端から前記第１端に向かってテーパ状である、付記９に記載のクロック分配システム。
（付記１１）
前記少なくとも１つの共振器リブの厚さが、前記第１端から前記第２端まで段階的に増加する、付記９に記載のクロック分配システム。
（付記１２）
クロック分配システムであって、
クロック信号を伝搬する少なくとも１つの共振器スパインと、
前記少なくとも１つの共振器スパインに導電結合され、定在波共振器として配置される少なくとも１つの共振器リブであって、前記少なくとも１つの共振器リブのうちの少なくとも１つが、前記少なくとも１つの共振器リブのうちの当該対応する１つの長さに沿ってテーパ状に変化する厚さを有する、前記少なくとも１つの共振器リブと、
前記少なくとも１つのトランス結合ラインであって、前記少なくとも１つのトランス結合ラインの各々が、関連する回路に導電結合されるとともに前記少なくとも１つの共振器リブに誘導結合されて、前記クロック信号に対応するクロック電流を誘導的に生成して前記関連する回路の機能を提供する、前記少なくとも１つのトランス結合ラインと、
を備えるクロック分配システム。
（付記１３）
前記少なくとも１つの共振器リブの各々が、前記少なくとも１つの共振器リブの各々の複数の平行部分を提供する少なくとも１つの屈曲部を含み、前記複数の平行部分の各々が第１端と第２端とを含み、前記複数の平行部分の各々の第２端が、前記少なくとも１つの屈曲部のちの対応する１つを介して、前記複数の平行部分のうちの隣接する１つの第１端に導電結合され、前記少なくとも１つの共振器リブの各々の前記複数の平行部分の少なくとも１つの厚さが、前記複数の平行部分のうちの当該対応する１つの長さに沿ってテーパ状に変化する、付記１２に記載のクロック分配システム。
（付記１４）
前記少なくとも１つの共振器リブの各々の前記複数の平行部分の少なくとも１つの厚さが、前記第１端と前記第２端との間の最大厚さから、前記第１端における第１の最小厚さおよび前記第２端における第２の最小厚さの各々まで、テーパ状に減少する、付記１３に記載のクロック分配システム。
（付記１５）
前記最大厚さが、前記複数の平行部分のうちの対応する１つの前記第１端と前記第２端との間の長さの約半分の位置に存在する、付記１４に記載のクロック分配システム。
（付記１６）
前記少なくとも１つの共振器リブの各々が、前記少なくとも１つの共振器スパインの近位の第１端と低電圧レールに結合された第２端との間の線状延出部として構成されており、前記少なくとも１つの共振器リブのうちの少なくとも１つが、前記第１端から前記第２端まで段階的に増加する厚さを有する、付記１２に記載のクロック分配システム。
（付記１７）
クロック分配システムであって、
クロック信号を伝搬する少なくとも１つの共振器スパインと、
前記少なくとも１つの共振器スパインに導電結合され、定在波共振器として配置される少なくとも１つの共振器リブであって、前記少なくとも１つの共振器リブのうちの少なくとも１つが、前記少なくとも１つの共振器リブのうちの当該対応する１つの長さに沿って段階的に変化する厚さを有する、前記少なくとも１つの共振器リブと、
前記少なくとも１つのトランス結合ラインであって、前記少なくとも１つのトランス結合ラインの各々が、関連する回路に導電結合されるとともに前記少なくとも１つの共振器リブに誘導結合されて、前記クロック信号に対応するクロック電流を誘導的に生成して前記関連する回路の機能を提供する、前記少なくとも１つのトランス結合ラインと、
を備えるクロック分配システム。
（付記１８）
前記少なくとも１つの共振器リブの各々が、前記少なくとも１つの共振器リブの各々の複数の平行部分を提供する少なくとも１つの屈曲部を含み、前記複数の平行部分の各々が第１端と第２端とを含み、前記複数の平行部分の各々の第２端が、前記少なくとも１つの屈曲部のうちの対応する１つを介して、前記複数の平行部分のうちの隣接する１つの第１端に導電結合され、前記少なくとも１つの共振器リブの各々の前記複数の平行部分の少なくとも１つの厚さが、前記複数の平行部分のうちの当該対応する１つの長さに沿って段階的に変化する、付記１７に記載のクロック分配システム。
（付記１９）
前記少なくとも１つの共振器リブの各々の前記複数の平行部分の少なくとも１つの厚さが、前記第１端における第１の最小厚さおよび前記第２端における第２の最小厚さから、前記第１端と前記第２端との間の最大厚さまで、段階的に増加する、付記１８に記載のクロック分配システム。
（付記２０）
前記少なくとも１つの共振器リブの各々が、前記少なくとも１つの共振器スパインの近位の第１端と低電圧レールに結合された第２端との間の線状延出部として構成されており、前記少なくとも１つの共振器リブのうちの少なくとも１つが、前記第１端から前記第２端まで段階的に増加する厚さを有する、付記１７に記載のクロック分配システム。